(57)【特許請求の範囲】
【請求項１】
滅菌錠剤容器と、オリフィスを設けた通水管とを備え、前記オリフィスの入口側を逆止弁を介して前記滅菌錠剤容器の流入口に接続し、且つ前記オリフィスの狭隘部には開放側に逆止弁を設けた霧状化用吸気管を接続し、該吸気管の中間部と前記滅菌錠剤容器の流出口とを添加量調節弁を介して接続したことを特徴とする滅菌装置。
【請求項２】
滅菌錠剤容器と、オリフィスを設けた通水管とを備え、前記オリフィスの入口側を逆止弁を介して前記滅菌錠剤容器の流入口に接続し、前記滅菌錠剤容器の出口側を添加量調整弁の入口側に導水管を介して接続し、該添加量調整弁の出口側にＴ型継手を接続すると共に、その一方の端子を霧状化用吸気管を介して前記オリフィスの狭隘部に接続し、前記Ｔ型継手の他方の端子には逆止弁を設けた空気吸気管を接続し、且つ前記添加量調整弁と前記Ｔ型継手間に絞り弁を設けたこと特徴とする滅菌装置。
【請求項３】
前記霧状化用吸気管の中間に逆止弁を設けたことを特徴とする請求項１又は２記載の滅菌装置。
【発明の詳細な説明】
【技術分野】
【０００１】
本発明は、浄水装置や水道の蛇口等に接続して使用する滅菌錠剤を用いる滅菌装置に関するものである。
【背景技術】
【０００２】
従来、浄水装置における浄水処理水の殺菌消毒には滅菌消毒水を添加する方法や滅菌錠剤を用いる方法、あるいはオゾン殺菌、紫外線殺菌等による方法がある。
【０００３】
これらの浄水処理水の滅菌処理の方法の中、滅菌錠剤を用いる方法は、使い勝手が最も優れているが、従来の滅菌錠剤を用いた滅菌装置には問題があったので、本発明者は先に特開２００８−２５９９８６号公報に示すように、滅菌錠剤容器と、オリフィスを設けた通水管とを備え、前記オリフィスの入口側を逆止弁を介して前記滅菌錠剤容器に接続すると共に、前記オリフィスの狭隘部と前記滅菌錠剤容器とを添加量調整弁を介して接続したことを特徴とする滅菌装置を開発した。
【０００４】
この滅菌装置は、オリフィスの狭隘部を通過する浄水処理水の高速化に伴う吸引力により滅菌錠剤容器から滅菌錠剤の溶解水を添加量調節弁を介して、オリフィスの狭隘部を通過する浄水処理水中に噴出混合させるものであるが、細滴化に若干問題があった。
【先行技術文献】
【特許文献】
【０００５】
【特許文献１】特開昭２９−１４２８９１号公報
【特許文献２】特開２００１−５５３０５号公報
【特許文献３】特開２００４−５０１４１号公報
【特許文献４】特開２００８−２５９９８６号公報
【発明の開示】
【発明が解決しようとする課題】
【０００６】
そこで、本発明は、先に提案した滅菌装置よりも一層細滴化した滅菌錠剤の溶解水を、オリフィスの狭隘部を通過する浄水処理水中に噴出混合させ、滅菌効果を向上させることができる滅菌装置を提供することを課題とするものである。
【課題を解決するための手段】
【０００７】
本発明は上記の課題を解決するためになされたもので、請求項１記載の発明は、滅菌錠剤容器と、オリフィスを設けた通水管とを備え、前記オリフィスの入口側を逆止弁を介して前記滅菌錠剤容器の流入口に接続し、且つ前記オリフィスの狭隘部には開放側に逆止弁を設けた霧状化用吸気管を接続し、該吸気管の中間部と前記滅菌錠剤容器の流出口とを添加量調節弁を介して接続したことを特徴とする滅菌装置である。
【０００８】
また、請求項２記載の発明は、滅菌錠剤容器と、オリフィスを設けた通水管とを備え、前記オリフィスの入口側を逆止弁を介して前記滅菌錠剤容器の流入口に接続し、前記滅菌錠剤容器の出口側を添加量調整弁の入口側に導水管を介して接続し、該添加量調整弁の出口側にＴ型継手を接続すると共に、その一方の端子を霧状化用吸気管を介して前記オリフィスの狭隘部に接続し、前記Ｔ型継手の他方の端子には逆止弁を設けた空気吸気管を接続し、且つ前記添加量調整弁と前記Ｔ型継手間に絞り弁を設けたこと特徴とする滅菌装置である。
【０００９】
また、請求項３記載の発明は、請求項１または２記載の発明において、前記霧状化用吸気管の中間に逆止弁を設けたことを特徴とする滅菌装置である。
【発明の効果】
【００１０】
請求項１記載の発明によると、霧状化用吸気管によって、添加量調節弁から流出する滅菌錠剤の溶解水が、逆止弁を介して吸入される空気と混合されて霧状化し、オリフィスの狭隘部に噴出する溶解水は、従来の空気を導入しない場合、即ち、溶解水を直接オリフィスの狭隘部に噴出させる場合よりも、溶解水が細滴化してオリフィスを通過する浄水処理水と混合し、滅菌効果を向上させると共に、添加量調節のレンジ巾を大きくし得る効果がある。
【００１１】
また、請求項２記載の発明によると、吸入空気量と、溶解水の添加量の比が大きくなるので、霧状化の効果を向上させることができる。
【００１２】
また、請求項３記載の発明によると、何等かの原因によりオリフィスの出口側が閉鎖された場合、逆流に基因する添加量調節弁の損傷を防止する効果がある。
【図面の簡単な説明】
【００１３】
【図１】本発明の実施例の正面図。
【図２】本発明の実施例の側面図。
【図３】本発明の要部構成を示す模式図。
【図４】本発明の実施例におけるオリフィスの構造を示す一部截断側面図。
【図５】本発明の実施例におけるＴ型継手の側面図。
【実施例】
【００１４】
図１は本発明の実施例の正面図、図２は同側面図、図３は要部構成を示す模式図である。
【００１５】
図１〜図３において、１はケーシングで、オリフィス２を設けた通水管3と、滅菌錠剤容器４とニードルバルブ５（添加量調整弁）が取付けられている。
【００１６】
前記オリフィス２の入口側は図３及び図４に示すように、導水管Ｐ１と逆止弁Ｖ１を介して滅菌錠剤容器４の入口側（実施例では下部）に接続され、滅菌錠剤容器４の出口側（実施例では上部）は、導水管Ｐ２でニードルバルブ５の入口側に接続されている。そしてニードルバルブ５の出口側にはＴ型継手６（チィー）が接続され、その一方の端子６ａは、中間に逆止弁Ｖ３を設けた霧状化用吸気管７を介して前記オリフィス２の狭隘部２ａに接続されている。またＴ型継手６の他方の端子６ｂは逆止弁Ｖ１を設けた空気吸気管８が設けられている。なお図中Ｑ１は導水管Ｐ１の、Ｑ２は吸気管７の接続具である。
【００１７】
そうして、通水管３の入口側３ａを浄水装置等に接続して浄水処理水Ｗを通水する時は、オリフィス２の作用によって、最初に滅菌錠剤容器４内の空気をニードルバルブ５を介して吸引排気すると共に、逆止弁Ｖ２を介して吸入した空気を霧状化用吸気管７と逆止弁Ｖ３を介して前記オリフィス２へ噴出させ、続いて浄水処理水Ｗを逆止弁Ｖ１を介して滅菌錠剤容器４内に吸引し、その吸引浄水処理水によって滅菌錠剤容器４に収納された滅菌錠剤の溶解水を作り、この溶解水がニードルバルブ５を介して霧状化用吸気管７中に噴射されて霧状化された後逆止弁Ｖ３を介してオリフィス２内に吸引噴射されて、浄水処理水Ｗに添加され、滅菌処理された浄水処理水Ｗ’が通水管３の出口側３ｂから排出されることになる。
【００１８】
溶解水を添加する割合は、従来と同様テスト紙を用い滅菌処理された、浄水処理水Ｗ'中の溶解水の割合が所定値になるようにツマミ５ａを回動してニードルバルブ５を調整する。従って爾後、浄水処理水Ｗは適正な滅菌処理が行われ、溶解水の添加割合が変動することはない。
【００１９】
本滅菌装置は、逆止弁Ｖ１により、従来の滅菌装置のように逆流することがないことは勿論、ニードルバルブ５によって一旦設定すれば、安定した滅菌処理が続行され、調整が簡単で使い勝手が良く、しかも構造が簡単で安価に提供することが出来ることは相俟って、滅菌装置として優れたものである。
【００２０】
Ｔ型継手６の入口側に図５に示すように小さい孔９ａを設けた絞り片９（オリフィス片）をニードルバルブ５への接続部６ｃに取付け、Ｔ型継手６の端子６ｂ側から吸入する空気量との比を大きくすることにより、霧状化用吸気管７内の霧状化効果を大きくすることが出来、このことにより浄水処理水を滅菌処理を満遍なく行われる効果がある。
【００２１】
逆止弁Ｖ２は溶解水が空気吸気管８から外部に流出することを防止し、逆止弁Ｖ３は何等かの原因により通水管３の出口側３ｂが閉鎖された時浄水処理水が逆流してニードルバルブ５を損傷させることを防止する作用がある。
【００２２】
実施例ではニードルバルブ５と霧状化用吸気管７とをＴ型継手６を介して接続するように構成したが、この構造のみに限定されるものではなく、他の構成、例えば開放側に逆止弁Ｖ２を設けた霧状化用吸気管の中間部にニードルバルブ５（添加量調整弁）の出口側を接続するようにしてもよい。
【符号の説明】
【００２３】
１                    ケーシング
２                    オリフィス
３                    通水管
４                    滅菌錠剤容器
５                    ニードルバルブ
６                    Ｔ型継手（チィー）
７                    霧状化用吸気管
８                    空気吸気管
９                    絞り片（オリフィス片）
Ｖ１，Ｖ２，Ｖ３      逆止弁
【図１】
0005583640.tif 000002
【図２】
0005583640.tif 000003
【図３】
0005583640.tif 000004
【図４】
0005583640.tif 000005
【図５】
0005583640.tif 000006